(57)【要約】【課題】  キャッチ部に引っ掛かった毛髪の除去作業が容易に行うことのできるヘアキャッチャーを提供する。【解決手段】浴室の洗い場の床面の排水口に配設するヘアキャッチャー１である。略環状をした基台部２１から上方に向けて先端が自由端となって開放される縦棒２２を突設した第一のキャッチ部材２と、基台部３１の下側に横棒３２を設けた第二のキャッチ部材３とからなり、前記縦棒２２と横棒３２とが交差するように第一のキャッチ部材２と第二のキャッチ部材３とを上下に組み合わせて、縦棒２２と横棒３２とからなるキャッチ部４を形成した。【選択図】        図１
2009052340.tif 000002
【特許請求の範囲】
【請求項１】
浴室の洗い場の床面の排水口に配設するヘアキャッチャーであって、基台部から上方に向けて先端が自由端となって開放される縦棒を突設した第一のキャッチ部材と、基台部の下側に横棒を設けた第二のキャッチ部材とからなり、前記縦棒と横棒とが交差するように第一のキャッチ部材と第二のキャッチ部材とを上下に組み合わせて、縦棒と横棒とからなるキャッチ部を形成して成ることを特徴とするヘアキャッチャー。
【請求項２】
第二のキャッチ部材は、基台部の下面から下方に向けて支持部を複数突設すると共に、各支持部から横方向に先端が自由端となって開放される横棒を突設し、隣接する支持部から互いに対向する方向に突設された横棒の先端部間に毛髪を引き抜くための隙間を形成して成ることを特徴とする請求項１記載のヘアキャッチャー。
【発明の詳細な説明】
【技術分野】
【０００１】
本発明は、主に浴室の排水口に設けられるヘアキャッチャーに関するものである。
【背景技術】
【０００２】
従来から、排水口、特に浴室の排水口にヘアキャッチャーが設けられている（例えば特許文献１参照）。
【０００３】
特許文献１に示されるヘアキャッチャーは、格子状又は網目状をしたキャッチ部を備えたもので、排水口に配設してキャッチ部に毛髪を引っ掛けて濾し取ることで毛髪を除去している。
【０００４】
しかしながら、このヘアキャッチャーにおいては、キャッチ部に引っ掛かった毛髪を除去するにあたり、キャッチ部の各格子部に引っ掛かった毛髪をそれぞれ指で摘まんで引き剥がして除去するものであり、毛髪をそれぞれ指で摘まんで引き剥がして捨てる作業を各格子部毎において行う必要があり、この除去作業が煩雑なものであった。
【特許文献１】特開平９−１１９１５３号公報
【発明の開示】
【発明が解決しようとする課題】
【０００５】
本発明は上記従来の問題点に鑑みて発明したものであって、その目的とするところは、キャッチ部の格子部に引っ掛かった毛髪を指で摘まんで引き剥がして捨てる作業を各格子部毎に行う必要がなく、除去作業が容易なヘアキャッチャーを提供することを課題とするものである。
【課題を解決するための手段】
【０００６】
上記課題を解決するために請求項１に係る発明にあっては、浴室の洗い場の床面の排水口に配設するヘアキャッチャー１であって、基台部２１から上方に向けて先端が自由端となって開放される縦棒２２を突設した第一のキャッチ部材２と、基台部３１の下側に横棒３２を設けた第二のキャッチ部材３とからなり、前記縦棒２２と横棒３２とが交差するように第一のキャッチ部材２と第二のキャッチ部材３とを上下に組み合わせて、縦棒２２と横棒３２とからなるキャッチ部４を形成して成ることを特徴とするものである。
【０００７】
このような構成によれば、第一及び第二のキャッチ部材２、３を組み合わせた場合には格子状又は網目状のキャッチ部４を構成することができると共に、キャッチ部４を縦棒２２と横棒３２とに別々に分離することで縦棒２２、横棒３２の先端が開放されて、縦棒２２、横棒３２に沿って指を移動させて先端から毛髪を引き抜くという簡単な動作で毛髪を除去することが可能となって、除去作業が容易となるものである。
【０００８】
また、請求項２に係る発明は、請求項１に係る発明において、第二のキャッチ部材３は、基台部３１の下面から下方に向けて支持部３３を複数突設すると共に、各支持部３３から横方向に先端が自由端となって開放される横棒３２を突設し、隣接する支持部３３から互いに対向する方向に突設された横棒３２の先端部間に毛髪を引き抜くための隙間３４を形成して成ることを特徴とするものである。
【０００９】
このような構成とすることで、横棒３２に引っ掛かっている毛髪を除去する場合でも、各横棒３２に沿って指を移動させて毛髪を掻き集めて隙間３４で先端から引き抜いて除去することができて、除去作業がより一層容易となるものである。
【発明の効果】
【００１０】
本発明にあっては、第一及び第二のキャッチ部材を組み合わせた場合には格子状又は網目状のキャッチ部を構成することができると共に、キャッチ部を縦棒と横棒とに別々に分離することで縦棒、横棒の先端が開放されて、引っ掛かっている毛髪を各棒に沿って指を移動させて先端から毛髪を引き抜くように除去することが可能となって、キャッチ部の各格子部に引っ掛かった毛髪をそれぞれ指で摘まんで引き剥がして除去する作業を繰り返す必要がなく、除去作業が容易となるものである。
【発明を実施するための最良の形態】
【００１１】
以下、本発明の一実施形態について図１及び図２に基づいて説明する。
【００１２】
ヘアキャッチャー１は、浴室の洗い場の床面に形成される排水口に設けられる浴室用のものとして説明するが、特に限定はされないものである。
【００１３】
排水口は本実施形態では図示はしないが平面視略円形状をしているものとする。この排水口には、上面でヘアキャッチャー１の周縁部を支持する支持部（図示せず）が設けてある。支持部は、排水口の上端部の周縁に上方及び排水口内方に開口する凹所を形成してその上面として設けたり、あるいは排水口の内壁面から内方に突設してその上面として設けてもよく、特に限定されない。前記支持部の上面にはヘアキャッチャー１が載置されて支持される。
【００１４】
ヘアキャッチャー１は、基台部２１（本実施形態では平面視略円環形の板状をした基台部）及びこの基台部２１から突設されるキャッチ棒としての縦棒２２を備えた第一のキャッチ部材２と、基台部３１（本実施形態では平面視略円環形の板状をした基台部）及びこの基台部３１に取り付けられるキャッチ棒としての横棒３２を備えた第二のキャッチ部材３とで構成される。
【００１５】
第一のキャッチ部材２の基台部２１は、排水口に合うように任意の形状とすることができ、本実施形態では平面視略円形状をした排水口に合わせて平面視略円形状の外郭形状にしてある。そして、基台部２１の上面からは縦棒２２が突設してある。
【００１６】
縦棒２２は、基台部２１の上面から上方に向けて突設する先端が自由端となって開放される棒状をしたもので、基台部２１の周方向に略円状に複数配置してある。
【００１７】
第二のキャッチ部材３の基台部３１は、上記第一のキャッチ部材２の基台部２１と同様の平面視略円形状の外郭形状にしてある。そして、基台部３１の下面には横棒３２が取り付けてある。
【００１８】
横棒３２は、基台部３１の下面の下側に位置して、基台部３１のなす面と略平行（０〜３０°程度の傾斜は可）に設けられるものである。本実施形態では、平面視において略円環状をした基台部３１内に位置する螺旋状をしたもので、螺旋の一端側が基台部３１の下面に取り付けられ、他端側が基台部３１の下面から下方に位置して自由端となって開放されている。
【００１９】
また、平面視略円環状をした基台部３１内の開口３０は、後述するように第一のキャッチ部材２と組み合わされて排水口に配設した際、縦棒２２と横棒３２とからなる格子状のキャッチ部４よりも高い位置に配置され、オーバーフロー口として機能するものである。
【００２０】
このヘアキャッチャー１は、第一のキャッチ部材２と第二のキャッチ部材３とを組み合わせて使用するものである。すなわち、第一のキャッチ部材２の基台部２１を下側として縦棒２２を上方に突出する状態とし、第二のキャッチ部材３の基台部３１を上側として横棒３２を下方に位置する状態とし、第一のキャッチ部材２の縦棒２２を第二のキャッチ部材３の横棒３２と交差するように挿し込んで、縦棒２２と横棒３２とで格子状のキャッチ部４を構成して使用するものである。第一のキャッチ部材２と第二のキャッチ部材３との固定は、第二のキャッチ部材３の基台部３１に第一のキャッチ部材２の縦棒２２の先端部が嵌入される孔や凹所（図示せず）を形成して、この孔や凹所に縦棒２２を嵌入して固定したり、あるいは、螺旋状の横棒３２を略円状に複数配置した縦棒２２に被嵌したり嵌入したりして縦棒２２と横棒３２との圧接力により固定したり、また他の固定手段により固定してもよく、特に限定されない。このように第一のキャッチ部材２と第二のキャッチ部材３とを組み合わせたヘアキャッチャー１を排水口に配設する。
【００２１】
そして、ヘアキャッチャー１として使用した後、ヘアキャッチャー１を排水口より取り出し、第一のキャッチ部材２と第二のキャッチ部材３とを摘まんで引き離し、第一のキャッチ部材２の縦棒２２を第二のキャッチ部材３の横棒３２から引き抜いて外す。格子状をしたキャッチ部４が縦棒２２と横棒３２とに別々に分離され、縦棒２２と横棒３２に引っ掛かっている毛髪を、縦棒２２と横棒３２とでそれぞれ別々に除去していく。縦棒２２に引っ掛かっている毛髪は、指で摘まんで基台部２１側から先端側に向けて移動させて先端から引き抜くことで除去でき、横棒３２に引っ掛かっている毛髪も同様に、指で摘まんで螺旋の基台部３１側から先端側に向けて移動させて先端から引き抜くことで除去できる。格子状をしたキャッチ部４に引っ掛かった毛髪をそのまま除去する場合には、毛髪を指で摘まんで引き剥がすようにして取る必要があり、一動作でまとめて大量の毛髪を除去することができないが、上記本発明によれば、格子状のキャッチ部４を縦棒２２と横棒３２とに別々に分離することで、縦棒２２、横棒３２に沿って指を移動させるという簡単な動作でそのキャッチ棒の毛髪を全てまとめて除去することができて、除去作業がし易いものである。また、縦棒２２及び横棒３２の先端が自由端状となって開放されているため、縦棒２２、横棒３２に引っ掛かっている毛髪を指で摘まんで先端側に移動させて全ての毛髪を掻き集めた後、先端から引き抜くことで容易に除去できて、毛髪を指で摘まんで引き剥がす作業を繰り返す必要がなくなって、除去作業が容易となるものである。
【００２２】
次に、他の実施形態について図３及び図４に基づいて説明する。上実施形態と同じ部分については説明を省略し、主に異なる部分について説明する。
【００２３】
本実施形態では、第一のキャッチ部材２については上実施形態と同じで、第二のキャッチ部材が異なっている。
【００２４】
第二のキャッチ部材３は、基台部３１と、キャッチ棒としての横棒３２と、横棒３２を支持するための支持部３３とからなる。基台部３１は、第一のキャッチ部材２の基台部２１と同様の平面視略円形状の外郭形状をした略円形状に形成してある。そして、基台部３１の下面からは支持部３３が取り付けてある。
【００２５】
支持部３３は、基台部３１の下面から下方に向けて突設する棒状をしたもので、基台部３１の周方向に略円状に複数配置してある。本実施形態では支持部３３の個数は、第一のキャッチ部材２の基台部２１から突設される縦棒２２よりも少ない個数となっている。そして、支持部３３にはキャッチ棒としての横棒３２が取り付けられる。
【００２６】
横棒３２は、支持部３３の途中から、基台部３１のなす面と略平行に突出するもので、本実施形態では支持部３３の三箇所からそれぞれ両側に突設し、平面視において略円環状をした基台部３１内に位置するように略円形状に形成してある。そして、隣接する支持部３３から互いに対向する方向に突設された横棒３２の先端部間には、毛髪を引き抜くための隙間３４が形成される。
【００２７】
このヘアキャッチャー１も上実施形態と同様に、第一のキャッチ部材２と第二のキャッチ部材３とを組み合わせて使用するものである。すなわち、第一のキャッチ部材２の基台部２１を下側として縦棒２２を上方に突出する状態とし、第二のキャッチ部材３の基台部３１を上側として支持部３３及び横棒３２を下方に位置する状態とし、第一のキャッチ部材２の縦棒２２を第二のキャッチ部材３の横棒３２と交差するように挿し込んで、縦棒２２と横棒３２とで格子状のキャッチ部４を構成して使用するものである。第一のキャッチ部材２と第二のキャッチ部材３との固定も上実施形態と同様に、第二のキャッチ部材３の基台部３１に第一のキャッチ部材２の縦棒２２の先端部が嵌入される孔や凹所を形成して、この孔や凹所に縦棒２２を嵌入して固定したり、あるいは、略円形状の横棒３２を略円状に複数配置した縦棒２２に被嵌したり嵌入したりして縦棒２２と横棒３２との圧接力により固定したり、また他の固定手段により固定してもよく、特に限定されない。このように組み合わせたヘアキャッチャー１を排水口に配設する。
【００２８】
そして、ヘアキャッチャー１として使用した後、ヘアキャッチャー１を排水口より取り出し、第一のキャッチ部材２と第二のキャッチ部材３とを摘まんで引き離して外し、縦棒２２と横棒３２に引っ掛かっている毛髪を、それぞれ別々に除去していく。縦棒２２に引っ掛かっている毛髪は、指で摘まんで基台部２１側から先端側に向けて移動させて先端から引き抜くことで除去できる。横棒３２に引っ掛かっている毛髪も同様に、指で摘まんで螺旋の基台部３１側から先端側に向けて移動させて先端から隙間３４に向けて引き抜くことで除去できる。本実施形態においても上実施形態と同様に、縦棒２２、横棒３２に沿って指を移動させるという簡単な動作でそのキャッチ棒の毛髪を全てまとめて除去することができて、除去作業がし易いものであり、また、縦棒２２及び横棒３２の先端が自由端状となって開放されているため、縦棒２２、横棒３２に引っ掛かっている毛髪を指で摘まんで先端側に移動させて全ての毛髪を掻き集めた後、先端から引き抜くことで容易に除去できて、毛髪を指で摘まんで引き剥がす作業を繰り返す必要がなくなって、除去作業が一層容易となるものである。
【図面の簡単な説明】
【００２９】
【図１】本発明のヘキャッチャーの一実施形態の斜視図である。
【図２】（ａ）は同上におけるキャッチ部材の斜視図であり、（ｂ）は同上における毛髪除去部材の斜視図である。
【図３】本発明のヘキャッチャーの他の実施形態の斜視図である。
【図４】（ａ）は同上におけるキャッチ部材の斜視図であり、（ｂ）は同上における毛髪除去部材の斜視図である。
【符号の説明】
【００３０】
１    ヘアキャッチャー
２    第一のキャッチ部材
２１  基台部
２２  縦棒
３    第二のキャッチ部材
３０  開口
３１  基台部
３２  横棒
３３  支持部
３４  隙間
４    キャッチ部
【図１】
2009052340.tif 000003
【図２】
2009052340.tif 000004
【図３】
2009052340.tif 000005
【図４】
2009052340.tif 000006